【手続補正書】
【提出日】平成17年4月8日(2005.4.8)
【手続補正１】
【補正対象書類名】明細書
【補正対象項目名】発明の名称
【補正方法】変更
【補正の内容】
【発明の名称】パケット交換機およびネットワーク監視システム
【手続補正２】
【補正対象書類名】明細書
【補正対象項目名】特許請求の範囲
【補正方法】変更
【補正の内容】
【特許請求の範囲】
【請求項１】
複数のパケット交換機、および上記複数のパケット交換機を管理するネットワーク監視装置に接続され、ネットワークのバウンダリに配置されるパケット交換機であって、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記検出された監視対象通信フローに属するパケットの通信終了を検出した際に、上記収集した統計情報を含むパケットを、上記検出された監視対象通信フローに属するパケットが通過した経路の下流に位置する隣接パケット交換機に送信して、上記隣接パケット交換機に対して上記隣接パケット交換機が収集した上記検出された監視対象通信フローの統計情報の収集を指示する入出力部とを有するパケット交換機。
【請求項２】
請求項１に記載のパケット交換機であって、
上記収集した統計情報を含むパケットは、上記検出された監視対象通信フローに属するパケットであることを特徴とするパケット交換機。
【請求項３】
請求項１に記載のパケット交換機であって、
上記検出すべき監視対象通信フローの条件は、少なくともパケットヘッダ内の送信元アドレス情報、宛先アドレス情報又はサービスタイプの何れか一つを含むことを特徴とするパケット交換機。
【請求項４】
請求項１に記載のパケット交換機であって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするパケット交換機。
【請求項５】
複数のパケット交換機、および上記複数のパケット交換機を管理するネットワーク監視装置に接続され、ネットワークのコアに配置されるパケット交換機であって、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記監視対象通信フローに属するパケットが通過したパケット交換機であって、上記ネットワークのバウンダリに配置されるパケット交換機が収集した統計情報を含むパケットを受信した際に、該受信したパケットに上記収集した統計情報を多重したパケットを、上記検出された監視対象通信フローに属するパケットが通過した経路の下流に位置する隣接パケット交換機に送信する送受信部とを有するパケット交換機。
【請求項６】
請求項５に記載のパケット交換機であって、
上記受信したパケットは、上記検出された監視対象通信フローに属するパケットであることを特徴とするパケット交換機。
【請求項７】
請求項５に記載のパケット交換機であって、
上記検出すべき監視対象通信フローの条件は、少なくともパケットヘッダ内の送信元アドレス情報、宛先アドレス情報又はサービスタイプの何れか一つを含むことを特徴とするパケット交換機。
【請求項８】
請求項５に記載のパケット交換機であって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするパケット交換機。
【請求項９】
複数のパケット交換機、および上記複数のパケット交換機を管理するネットワーク監視装置に接続され、ネットワークのバウンダリに配置されるパケット交換機であって、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記監視対象通信フローに属するパケットが通過したパケット交換機であって、上記ネットワークの他のバウンダリに配置されるパケット交換機が収集した統計情報を含むパケットを受信した際に、該受信したパケットに上記収集した統計情報を多重したパケットを、
上記ネットワーク管理装置に送信する送受信部とを有するパケット交換機。
【請求項１０】
請求項９に記載のパケット交換機であって、
上記受信したパケットは、上記検出された監視対象通信フローに属するパケットであることを特徴とするパケット交換機。
【請求項１１】
請求項９に記載のパケット交換機であって、
上記検出すべき監視対象通信フローの条件は、少なくともパケットヘッダ内の送信元アドレス情報、宛先アドレス情報又はサービスタイプの何れか一つを含むことを特徴とするパケット交換機。
【請求項１２】
請求項９に記載のパケット交換機であって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするパケット交換機。
【請求項１３】
複数のパケット交換機、および上記複数のパケット交換機を管理するネットワーク監視装置に接続され、ネットワークのバウンダリに配置されるパケット交換機であって、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記検出された監視対象通信フローに属するパケットの通信終了を検出した際に、上記収集した統計情報を含むパケットを、上記検出された監視対象通信フローに属するパケットが通過した経路の上流に位置する隣接パケット交換機に送信して、上記隣接パケット交換機に対して上記隣接パケット交換機が収集した上記検出された監視対象通信フローの統計情報の収集を指示する入出力部とを有するパケット交換機。
【請求項１４】
請求項１３に記載のパケット交換機であって、
上記収集した統計情報を含むパケットは、上記検出された監視対象通信フローに属するパケットであることを特徴とするパケット交換機。
【請求項１５】
請求項１３に記載のパケット交換機であって、
上記検出すべき監視対象通信フローの条件は、少なくともパケットヘッダ内の送信元アドレス情報、宛先アドレス情報又はサービスタイプの何れか一つを含むことを特徴とするパケット交換機。
【請求項１６】
請求項１３に記載のパケット交換機であって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするパケット交換機。
【請求項１７】
複数のパケット交換機、および上記複数のパケット交換機を管理するネットワーク監視装置を備えたネットワーク監視システムであって、
上記複数のパケット交換機のうち、ネットワークのバウンダリに配置されるパケット交換機が、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記検出された監視対象通信フローに属するパケットの通信終了を検出した際に、上記収集した統計情報を含むパケットを、上記検出された監視対象通信フローに属するパケットが通過した経路の下流に位置する隣接パケット交換機に送信して、上記隣接パケット交換機に対して上記隣接パケット交換機が収集した上記検出された監視対象通信フローの統計情報の収集を指示する入出力部とを有するネットワーク監視システム。
【請求項１８】
請求項１７に記載のネットワーク監視システムであって、
上記収集した統計情報を含むパケットは、上記検出された監視対象通信フローに属するパケットであることを特徴とするネットワーク監視システム。
【請求項１９】
請求項１７に記載のネットワーク監視システムであって、
上記検出すべき監視対象通信フローの条件は、少なくともパケットヘッダ内の送信元アドレス情報、宛先アドレス情報又はサービスタイプの何れか一つを含むことを特徴とするネットワーク監視システム。
【請求項２０】
請求項１７に記載のネットワーク監視システムであって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするネットワーク監視システム。
【請求項２１】
複数のパケット交換機、および上記複数のパケット交換機を管理するネットワーク監視装置を備えたネットワーク監視システムであって、
上記複数のパケット交換機のうち、ネットワークのコアに配置されるパケット交換機が、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記監視対象通信フローに属するパケットが通過したパケット交換機であって、上記ネットワークのバウンダリに配置されるパケット交換機が収集した統計情報を含むパケットを受信した際に、該受信したパケットに上記収集した統計情報を多重したパケットを、上記検出された監視対象通信フローに属するパケットが通過した経路の下流に位置する隣接パケット交換機に送信する送受信部とを有するネットワーク監視システム。
【請求項２２】
請求項２１に記載のネットワーク監視システムであって、
上記受信したパケットは、上記検出された監視対象通信フローに属するパケットであることを特徴とするネットワーク監視システム。
【請求項２３】
請求項２１に記載のネットワーク監視システムであって、
上記検出すべき監視対象通信フローの条件は、少なくともパケットヘッダ内の送信元アドレス情報、宛先アドレス情報又はサービスタイプの何れか一つを含むことを特徴とするネットワーク監視システム。
【請求項２４】
請求項２１に記載のネットワーク監視システムであって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするネットワーク監視システム。
【請求項２５】
複数のパケット交換機、および上記複数のパケット交換機を管理するネットワーク監視装置を備えたネットワーク監視システムであって、
上記複数のパケット交換機のうち、ネットワークのバウンダリに配置されるパケット交換機が、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記監視対象通信フローに属するパケットが通過したパケット交換機であって、上記ネットワークの他のバウンダリに配置されるパケット交換機が収集した統計情報を含むパケットを受信した際に、該受信したパケットに上記収集した統計情報を多重したパケットを、上記ネットワーク管理装置に送信する送受信部とを有するネットワーク監視システム。
【請求項２６】
請求項２５に記載のネットワーク監視システムであって、
上記受信したパケットは、上記検出された監視対象通信フローに属するパケットであることを特徴とするネットワーク監視システム。
【請求項２７】
請求項２５に記載のネットワーク監視システムであって、
上記検出すべき監視対象通信フローの条件は、少なくともパケットヘッダ内の送信元アドレス情報、宛先アドレス情報又はサービスタイプの何れか一つを含むことを特徴とするネットワーク監視システム。
【請求項２８】
請求項２５に記載のネットワーク監視システムであって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするネットワーク監視システム。
【請求項２９】
複数のパケット交換機、および上記複数のパケット交換機を管理するネットワーク監視装置を備えたネットワーク監視システムであって、
上記複数のパケット交換機のうち、ネットワークのバウンダリに配置されるパケット交換機が、
入力されたパケットのヘッダ内のデータと、検出すべき監視対象通信フローの条件とを比較することにより、該監視対象通信フローに属するパケットの通信開始を検出する検出部と、
上記監視対象通信フローに属するパケットの通信開始を検出すると、上記検出された監視対象通信フローの統計情報の収集を開始する統計情報収集部と、
上記検出された監視対象通信フローに属するパケットの通信終了を検出した際に、上記収集した統計情報を含むパケットを、上記検出された監視対象通信フローに属するパケットが通過した経路の上流に位置する隣接パケット交換機に送信して、上記隣接パケット交換機に対して上記隣接パケット交換機が収集した上記検出された監視対象通信フローの統計情報の収集を指示する入出力部とを有するネットワーク監視システム。
【請求項３０】
請求項２９に記載のネットワーク監視システムであって、
上記収集した統計情報を含むパケットは、上記検出された監視対象通信フローに属するパケットであることを特徴とするネットワーク監視システム。
【請求項３１】
請求項２９に記載のネットワーク監視システムであって、
上記検出すべき監視対象通信フローの条件は、少なくともパケットヘッダ内の送信元アドレス情報、宛先アドレス情報又はサービスタイプの何れか一つを含むことを特徴とするネットワーク監視システム。
【請求項３２】
請求項２９に記載のネットワーク監視システムであって、
上記監視対象通信フローの統計情報は、少なくとも、通過した上記監視対象通信フローに属するパケットの数、通過した上記監視対象通信フローに属するパケットのバイト数、廃棄された上記監視対象通信フローに属するパケットの数、又は単位時間に通過した上記監視対象通信フローに属するパケットの数の何れか一つを含むことを特徴とするネットワーク監視システム。